(57)【要約】【課題】本発明の課題は、ユーザが鼻腔挿入デバイスを装着したとき、目立ちにくい鼻腔挿入デバイス抜け防止具を提供することである。【解決手段】本発明に係る鼻腔挿入デバイス固定具３００は、第１移動防止部３１０と、本体部３３０とを備える。第１移動防止部３１０は、鼻腔挿入デバイス２００が鼻腔に挿入されているとき、内鼻孔より奥側に配置され、かつ、鼻腔挿入デバイス２００の挿入方向と反対方向に鼻腔挿入デバイス２００が移動するのを防止する。本体部３３０は、第１移動防止部３１０が設置される。【選択図】図１
2012239479.tif 000002
【特許請求の範囲】
【請求項１】
鼻腔挿入デバイスが鼻腔に挿入されているとき、内鼻孔より奥側に配置され、かつ、前記鼻腔挿入デバイスの挿入方向と反対方向に該鼻腔挿入デバイスが移動するのを防止する第１移動防止部と、
前記第１移動防止部が設置される本体部とを備える鼻腔挿入デバイス抜け防止具。
【請求項２】
前記第１移動防止部および前記本体部の少なくとも一方は、弾性を有する請求項１に記載の鼻腔挿入デバイス抜け防止具。
【請求項３】
前記第１移動防止部は、前記本体部から外方に向かって延びる少なくとも１つの第１の弁を有する請求項１または２に記載の鼻腔挿入デバイス抜け防止具。
【請求項４】
前記第１の弁は、前記鼻腔挿入デバイスの挿入方向に向かうに従って外方に傾斜する請求項３に記載の鼻腔挿入デバイス抜け防止具。
【請求項５】
前記第１の弁を閉じる閉じ部をさらに備える請求項３または４に記載の鼻腔挿入デバイス抜け防止具。
【請求項６】
前記閉じ部は、主に水溶性高分子から成る請求項５に記載の鼻腔挿入デバイス抜け防止具。
【請求項７】
前記鼻腔挿入デバイスが鼻腔に挿入されているとき、前記閉じ部が内鼻孔より手前側に配置されるように該閉じ部の位置を決める位置決め部をさらに備え、
前記閉じ部は、前記第１の弁と前記位置決め部との間を移動自在であり、前記第１の弁に取り付けられたとき該第１の弁を閉じ、前記位置決め部に取り付けられたとき前記鼻腔挿入デバイスの挿入方向に該鼻腔挿入デバイスが移動するのを防止する請求項５に記載の鼻腔挿入デバイス抜け防止具。
【請求項８】
鼻腔挿入デバイスが鼻腔に挿入されているとき、内鼻孔より手前側に配置され、かつ、前記鼻腔挿入デバイスの挿入方向に該鼻腔挿入デバイスが移動するのを防止する第２移動防止部をさらに備え、
前記第２移動防止部は、前記本体部に設置される請求項１〜６のいずれかに記載の鼻腔挿入デバイス抜け防止具。
【請求項９】
前記第２移動防止部は、本体部から外方に延びる少なくとも１つの第２の弁を有する請求項８に記載の鼻腔挿入デバイス抜け防止具。
【請求項１０】
前記第２の弁は、前記鼻腔挿入デバイスの挿入方向と反対方向に向かうに従って外方に傾斜する請求項９に記載の鼻腔挿入デバイス抜け防止具。
【請求項１１】
本体部と、
前記本体部に設置され、前記本体部から外方に延びる少なくとも１つの第１の弁と、
前記本体部の前記第１の弁の設置箇所と異なる箇所に設置され、前記本体部から外方に延びる少なくとも１つの第２の弁とを備える鼻腔挿入デバイス抜け防止具。
【請求項１２】
本体部と、
前記本体部に設置され、前記本体部から外方に延びる少なくとも１つの第１の弁と、
前記第１の弁を閉じる閉じ部と、
前記閉じ部の位置を決める位置決め部とを備え、
前記閉じ部は、前記第１の弁と前記位置決め部との間を移動自在であり、前記第１の弁に取り付けられたとき該第１の弁を閉じ、前記位置決め部で位置が決められたとき前記第１の弁を開く鼻腔挿入デバイス抜け防止具。
【請求項１３】
本体部と、
前記本体部に設置され、前記本体部から外方に延びる少なくとも１つの第１の弁と、
糸またはワイヤから成る閉じ部とを備え、
前記閉じ部の一方の端部は、前記第１の弁に繋がれ、
前記第１の弁は、前記閉じ部の他方の端部が引っ張られることで閉じる鼻腔挿入デバイス抜け防止具。
【請求項１４】
請求項１〜１３のいずれか１項に記載の鼻腔挿入デバイス抜け防止具と、
鼻腔に挿入される前記鼻腔挿入デバイスとを備える鼻腔挿入デバイスセット。
【発明の詳細な説明】
【技術分野】
【０００１】
本発明は、鼻腔挿入デバイス抜け防止具、およびその鼻腔挿入デバイス抜け防止具を備える鼻腔挿入デバイスセットに関する。
【背景技術】
【０００２】
閉塞型睡眠時無呼吸症候群の患者は、睡眠時に上気道の咽頭部が筋肉の弛緩と肥満等との合併症で閉塞され、一時的な窒息（無呼吸、低呼吸）状態を断続的に繰り返す。このため、閉塞型睡眠時無呼吸症候群の患者は、高血圧症を患ったり、脳血管及び心血管に障害を患ったりする。また、閉塞型睡眠時無呼吸症候群の患者は、十分な睡眠がとれず、日中に眠気を催したり、日中に集中力や活力を欠いたりするようになる。また、閉塞型睡眠時無呼吸症候群の患者が自動車の運転をする場合には、その患者は居眠り運転で事故または重大事故等を起こしやすくなる。
【０００３】
また、いびきは、閉塞型睡眠時無呼吸症候群と同様に、睡眠時に上気道が狭窄または閉塞されることにより、咽頭部等の気道粘膜が振動することによって発生する。いびきは、同居人の眠りの妨害だけでなく、当人の熟睡の妨げとなり、日中に眠気を催したり、日中に集中力および活力を欠いたりするようになる。
【０００４】
以下、上記した「閉塞型睡眠時無呼吸症候群」及び「いびき症」を総称して、「睡眠障害」とする。
【０００５】
そこで、近年、閉塞型睡眠時無呼吸症候群を治療したり、いびき症を解消したりするための様々な提案がなされている。例えば、「閉塞型睡眠時無呼吸症候群解消デバイス（以下、「鼻腔挿入デバイス」という）を鼻孔経由で咽頭部に挿入する方法（例えば、特開２００９−０７２５８１号公報）」、「先端部に水膨潤樹脂が塗布された鼻腔挿入デバイスを鼻孔経由で咽頭部に挿入した後、咽頭部周辺の水分を利用して水膨潤樹脂を膨潤させて咽頭部を押し広げる方法（例えば、特開２００９−０７２５８１号公報等参照）」、および「先端部に拡張部分が設けられた鼻腔挿入デバイスを鼻孔経由で咽頭部に挿入した後、ユーザの操作により拡張部分を拡張させて咽頭部を押し広げる方法（例えば、特開２００６−２０４６３０号公報、特開２００９−０３４３８４号公報、特開２００９−０７２５８１号公報、特開２００９−０７２５８２号公報等参照）」等が提案されている。
【先行技術文献】
【特許文献】
【０００６】
【特許文献１】特開２００６−２０４６３０号公報
【特許文献２】特開２００９−０３４３８４号公報
【特許文献３】特開２００９−０７２５８１号公報
【特許文献４】特開２００９−０７２５８２号公報
【発明の概要】
【発明が解決しようとする課題】
【０００７】
ところで、上述のような方法に係る鼻腔挿入デバイスをユーザが装着するとき、鼻腔挿入デバイスは、鼻腔から抜けるのを防止するため、通常、鼻柱または鼻翼に固定具を介して固定される。そのため、鼻腔挿入デバイスの固定具は、鼻から露出した状態となる場合が多い。よって、鼻腔挿入デバイスの固定具は目立ってしまう。
【０００８】
本発明の課題は、鼻腔挿入デバイスが鼻腔に挿入されているとき目立ちにくい鼻腔挿入デバイス抜け防止具を提供することにある。
【課題を解決するための手段】
【０００９】
（１）
本発明に係る鼻腔挿入デバイス抜け防止具は、第１移動防止部と、本体部とを備える。第１移動防止部は、鼻腔挿入デバイスが鼻腔に挿入されているとき、内鼻孔より奥側に配置される。また、第１移動防止部は、鼻腔挿入デバイスが鼻腔に挿入されているとき、鼻腔挿入デバイスの挿入方向と反対方向に鼻腔挿入デバイスが移動するのを防止する。本体部には、第１移動防止部が設置される。
【００１０】
鼻腔挿入デバイス抜け防止具は内鼻孔に配置される。そのため、鼻腔挿入デバイスが鼻腔に挿入されているとき、鼻腔挿入デバイス抜け防止具は目立ちにくい。
【００１１】
内鼻孔より大きい第１移動防止部は、内鼻孔に引っかかる。そのため、第１移動防止部は、鼻腔挿入デバイスの挿入方向と反対方向に鼻腔挿入デバイスが移動するのを防止する。よって、鼻腔挿入デバイス抜け防止具は、鼻腔挿入デバイスが鼻から抜けて体外に出るのを防止する。
【００１２】
（２）
上述（１）の鼻腔挿入デバイス抜け防止具では、第１移動防止部および本体部の少なくとも一方は、弾性を有することが好ましい。
【００１３】
弾性を有する第１移動防止部および本体部の少なくとも一方は、外力が加えられることによって変形する。第１移動防止部および本体部の少なくとも一方が変形させられることで、第１移動防止部は、内鼻孔に引っかからない大きさまで小さくなり、内鼻孔を容易に通過することができる。
【００１４】
第１移動防止部が内鼻孔を通過すると、第１移動防止部および本体部に加えられていた外力がなくなる。そのため、第１移動防止部は、内鼻孔より大きい元の形状に戻る。よって、鼻腔挿入デバイス抜け防止具は、内鼻孔に容易に配置される。
【００１５】
（３）
上述（１）または（２）の鼻腔挿入デバイス抜け防止具では、第１移動防止部は、少なくとも１つの第１の弁を有することが好ましい。第１の弁は、本体部から外方に向かって延びる。
【００１６】
この鼻腔挿入デバイス抜け防止具では、第１の弁の個数が調整されることで、鼻腔挿入デバイスの挿入方向と反対方向に鼻腔挿入デバイスが移動するのを防止する力が調整される。
【００１７】
（４）
上述（３）の鼻腔挿入デバイス抜け防止具では、第１の弁は、鼻腔挿入デバイスの挿入方向に向かうに従って外方に傾斜することが好ましい。
【００１８】
第１の弁が所定の方向に向かうに従って外方に傾斜するため、鼻腔挿入デバイス抜け防止具は、鼻の内部の粘膜を傷つけにくい。
【００１９】
（５）
上述（３）または（４）の鼻腔挿入デバイス抜け防止具は、第１の弁を閉じる閉じ部をさらに備えることが好ましい。
【００２０】
閉じ部で第１の弁が閉じられた状態のとき、閉じ部および第１移動防止部は、内鼻孔に引っかからない大きさとなる。そのため、鼻腔挿入デバイス抜け防止具は、内鼻孔を容易に通過することができる。
【００２１】
第１移動防止部が内鼻孔を通過すると、閉じ部により第１の弁が開かれる。これにより、第１移動防止部は、内鼻孔より大きい元の形状に戻る。そのため、鼻腔挿入デバイス抜け防止具は、内鼻孔に容易に配置される。
【００２２】
（６）
上述（５）の鼻腔挿入デバイス抜け防止具では、閉じ部は、主に水溶性高分子から成ることが好ましい。
【００２３】
第１移動防止部が内鼻孔を通過した後、主に水溶性高分子から成る閉じ部は、事前に塗布された潤滑剤および体液によって溶ける。閉じ部が溶けることで、第１移動防止部は、内鼻孔より大きい元の形状に戻る。そのため、鼻腔挿入デバイス抜け防止具は、内鼻孔により容易に配置される。
【００２４】
（７）
上述（５）の鼻腔挿入デバイス抜け防止具は、位置決め部をさらに備えることが好ましい。位置決め部は、鼻腔挿入デバイスが鼻腔に挿入されているとき、閉じ部が内鼻孔より手前側に配置されるように閉じ部の位置を決める。閉じ部は、第１の弁と位置決め部との間を移動自在である。この閉じ部は、第１の弁に取り付けられたとき、第１の弁を閉じる。また、この閉じ部は、位置決め部に移動したとき、鼻腔挿入デバイスの挿入方向に鼻腔挿入デバイスが移動するのを防止する。
【００２５】
閉じ部は、内鼻孔に引っかかる大きさである。閉じ部で第１の弁を閉じた状態にしてから、内鼻孔への第１の弁の挿入を開始する。第１の弁は、内鼻孔への挿入直前まで閉じ部で閉じられているので、内鼻孔を通過しやすい。
【００２６】
第１の弁が内鼻孔を通過した後、閉じ部は、内鼻孔を通過せず、位置決め部によって内鼻孔より手前側に配置される。そして、閉じ部は、鼻腔挿入デバイスの挿入方向に鼻腔挿入デバイスが移動するのを防止する。そのため、鼻腔挿入デバイス抜け防止具は、鼻腔挿入デバイスが飲み込まれるのを防止する。
【００２７】
（８）
上述（１）〜（６）のいずれかの鼻腔挿入デバイス抜け防止具は、第２移動防止部をさらに備えることが好ましい。第２移動防止部は、鼻腔挿入デバイスが鼻腔に挿入されているとき、内鼻孔より手前側に配置される。また、第２移動防止部は、鼻腔挿入デバイスが鼻腔に挿入されているとき、鼻腔挿入デバイスの挿入方向に鼻腔挿入デバイスが移動するのを防止する。そして、第２移動防止部は、本体部に設置される。
【００２８】
内鼻孔より大きい第２移動防止部は、内鼻孔に引っかかる。そのため、第２移動防止部は、鼻腔挿入デバイスの挿入方向に鼻腔挿入デバイスが移動するのを防止する。そのため、鼻腔挿入デバイス抜け防止具は、鼻腔挿入デバイスが飲み込まれるのを防止する。
【００２９】
（９）
上述（８）の鼻腔挿入デバイス抜け防止具では、第２移動防止部は、少なくとも１つの第２の弁を有することが好ましい。第２の弁は、本体部から外方に延びる。
【００３０】
この鼻腔挿入デバイス抜け防止具は、第２の弁の個数が調整されることで、鼻腔挿入デバイスの挿入方向に鼻腔挿入デバイスが移動するのを防止する力が調整される。
【００３１】
（１０）
上述（９）の鼻腔挿入デバイス抜け防止具では、第２の弁は、鼻腔挿入デバイスの挿入方向と反対方向に向かうに従って外方に傾斜することが好ましい。
【００３２】
第２の弁が所定の方向に向かうに従って外方に傾斜するため、鼻腔挿入デバイス抜け防止具は、鼻の内部の粘膜を傷つけにくい。
【００３３】
（１１）
本発明に係る鼻腔挿入デバイス抜け防止具は、本体部と、少なくとも１つの第１の弁と、少なくとも１つの第２の弁とを備える。第１の弁は、本体部に設置される。また、第１の弁は、本体部から外方に延びる。第２の弁は、本体部の第１の弁の設置箇所と異なる箇所に設置される。また、第２の弁は、本体部から外方に延びる。
【００３４】
鼻腔挿入デバイスが鼻腔に挿入されているとき、第１の弁が内鼻孔４００より奥側に配置され、第２の弁が内鼻孔より手前側に配置される。第１の弁は、鼻腔挿入デバイスの挿入方向と反対方向に鼻腔挿入デバイスが移動するのを防止する。そのため、鼻腔挿入デバイス抜け防止具は、鼻腔挿入デバイスが鼻から抜けて体外に出るのを防止する。また、第２の弁は、鼻腔挿入デバイスの挿入方向に鼻腔挿入デバイスが移動するのを防止する。そのため、鼻腔挿入デバイス抜け防止具は、鼻腔挿入デバイスが飲み込まれるのを防止する。
【００３５】
（１２）
本発明に係る鼻腔挿入デバイス抜け防止具は、本体部と、少なくとも１つの第１の弁と、閉じ部と、位置決め部とを備える。第１の弁は、本体部に設置される。この第１の弁は、本体部から外方に延びる。閉じ部は、第１の弁を閉じる。位置決め部は、閉じ部の位置を決める。この閉じ部は、第１の弁と位置決め部との間を移動自在である。また、閉じ部は、第１の弁に取り付けられたとき、第１の弁を閉じる。さらに、閉じ部は、位置決め部で位置が決められたとき、第１の弁を開く。
【００３６】
第１の弁および閉じ部は、内鼻孔に引っかかる大きさである。閉じ部で第１の弁を閉じた状態にしてから、内鼻孔への第１の弁の挿入を開始する。第１の弁は、内鼻孔への挿入直前まで閉じ部で閉じられているので、内鼻孔を通過しやすい。
【００３７】
第１の弁が内鼻孔を通過した後、閉じ部は、位置決め部によって内鼻孔より手前側に配置される。そして、第１の弁は、鼻腔挿入デバイスの挿入方向と反対方向に鼻腔挿入デバイスが移動するのを防止する。そのため、鼻腔挿入デバイス抜け防止具は、鼻腔挿入デバイスが鼻から抜けて体外に出るのを防止する。また、閉じ部は、鼻腔挿入デバイスの挿入方向に鼻腔挿入デバイスが移動するのを防止する。そのため、鼻腔挿入デバイス抜け防止具は、鼻腔挿入デバイスが飲み込まれるのを防止する。
【００３８】
（１３）
本発明に係る鼻腔挿入デバイス抜け防止具は、本体部と、少なくとも１つの第１の弁と、閉じ部とを備える。第１の弁は、本体部に設置される。この第１の弁は、本体部から外方に延びる。閉じ部は、糸またはワイヤから成る。この閉じ部の一方の端部は、第１の弁に繋がれる。また、第１の弁は、閉じ部の他方の端部が引っ張られることで閉じる。
【００３９】
閉じ部が引っ張られた状態のとき、第１の弁が閉じた状態となる。第１移動防止部は、第１の弁が閉じられたことで、内鼻孔に引っかからない大きさまで小さくなる。そのため、第１移動防止部は、内鼻孔に引っかからない大きさなので、内鼻孔を容易に通過できる。
【００４０】
第１移動防止部が内鼻孔を通過後、閉じ部が引っ張られた状態を解除したとき、第１の弁が開いた状態となる。そのため、第１移動防止部は、内鼻孔より大きい元の形状に戻る。このようにして、鼻腔挿入デバイス抜け防止具は、内鼻孔に容易に配置される。
【００４１】
（１４）
本発明に係る鼻腔挿入デバイスセットは、鼻腔挿入デバイス抜け防止具と、鼻腔挿入デバイスとを備える。鼻腔挿入デバイス抜け防止具は、上述（１）〜（１３）のいずれかのものである。鼻腔挿入デバイスは、鼻腔に挿入される。
【００４２】
鼻腔挿入デバイス抜け防止具は内鼻孔に配置される。そのため、鼻腔挿入デバイスが鼻腔に挿入されているとき、鼻腔挿入デバイスセットは目立ちにくい。
【発明の効果】
【００４３】
本発明に係る鼻腔挿入デバイス抜け防止具は、鼻腔挿入デバイスが鼻腔に挿入されているとき目立ちにくい。
【図面の簡単な説明】
【００４４】
【図１】本発明の第１実施形態に係る鼻腔挿入デバイスセットの側面図である。
【図２】本発明の第１実施形態に係る鼻腔挿入デバイス抜け防止具が内鼻孔に配置されている状態を示した側面図である。
【図３】本発明の第１実施形態に係る鼻腔挿入デバイス抜け防止具が内鼻孔に配置されている状態を示し、第１移動防止部側から第２防止部側に向かって見た正面図である。
【図４】本発明の第１実施形態の変形例（Ａ）に係る鼻腔挿入デバイス抜け防止具の正面図である。
【図５】本発明の第１実施形態の変形例（Ｂ）に係る鼻腔挿入デバイス抜け防止具の側面図である。
【図６】本発明の第１実施形態の変形例（Ｂ）に係る鼻腔挿入デバイス抜け防止具の正面図である。
【図７】本発明の第１実施形態の変形例（Ｃ）に係る鼻腔挿入デバイス抜け防止具の側面図である。
【図８】本発明の第１実施形態の変形例（Ｄ）に係る鼻腔挿入デバイス抜け防止具の側面図である。
【図９】本発明の第１実施形態の変形例（Ｅ）に係る鼻腔挿入デバイス抜け防止具の側面図である。
【図１０】本発明の第１実施形態の変形例（Ｅ）に係る鼻腔挿入デバイス抜け防止具の第１移動防止部が変形した状態を示した側面図である。
【図１１】本発明の第２実施形態に係る鼻腔挿入デバイス抜け防止具の側面図である。
【図１２】本発明の第２実施形態の変形例（Ａ）に係る鼻腔挿入デバイス抜け防止具の側面図である。
【図１３】本発明の第２実施形態の変形例（Ｂ）に係る鼻腔挿入デバイス抜け防止具の第１の弁が閉じた状態を示した側面図である。
【図１４】本発明の第２実施形態の変形例（Ｂ）に係る鼻腔挿入デバイス抜け防止具の第１の弁が開いた状態を示した側面図である。
【図１５】本発明の第２実施形態の変形例（Ｃ）に係る鼻腔挿入デバイス抜け防止具の第１の弁が閉じた状態を示した側面図である。
【図１６】本発明の第２実施形態の変形例（Ｃ）に係る鼻腔挿入デバイス抜け防止具の第１の弁が開いた状態を示した側面図である。
【図１７】本発明の第２実施形態の変形例（Ｄ）に係る鼻腔挿入デバイス抜け防止具の第１の弁が閉じた状態を示した側面図である。
【図１８】本発明の第２実施形態の変形例（Ｄ）に係る鼻腔挿入デバイス抜け防止具の第１の弁が開いた状態を示した側面図である。
【図１９】本発明の第３実施形態に係る鼻腔挿入デバイス抜け防止具の第１の弁が閉じた状態を示した側面図である。
【図２０】本発明の第３実施形態に係る鼻腔挿入デバイス抜け防止具の第１の弁が開いた状態を示した側面図である。
【発明を実施するための形態】
【００４５】
−第１実施形態−
＜鼻腔挿入デバイスセット＞
図１に示されるように、本発明の第１実施形態に係る鼻腔挿入デバイスセット１００は、鼻腔挿入デバイス２００と、固定具３００とを備える。固定具３００は、鼻腔挿入デバイス２００が鼻腔に挿入されているとき、鼻腔挿入デバイス２００の挿入方向（図１の白抜き矢印方向）、および挿入方向と反対方向に鼻腔挿入デバイス２００が移動するのを防止するためのものである。
【００４６】
＜鼻腔挿入デバイス＞
図１に示されるように、鼻腔挿入デバイス２００は、シリコーン樹脂製または熱可塑性エラストマー製（スチレン系、塩化ビニル系、オレフィン系、ウレタン系、ポリエステル系など）等のチューブ体であって、鼻孔から咽頭部まで延在するように形成されている。この鼻腔挿入デバイス２００は、円管形状のチューブ本体部２１０と、チューブ本体部２１０の先端部（咽頭部側）に設けられる拡張部２２０とを有する。なお、鼻腔挿入デバイス２００は、チューブ本体部２１０に代えて、例えば、可撓性を有する金属から成るワイヤ、または合成樹脂繊維もしくは天然繊維から成る糸などを有していてもよい。このワイヤまたは糸には、拡張部２２０が設けられる。
【００４７】
チューブ本体部２１０は、鼻腔挿入デバイス２００が鼻腔に装着されたときに空気の流路を形成する機能を果たす。また、拡張部２２０は、咽頭部を拡張させるために設けられており、睡眠障害を患っている患者の狭窄または閉塞する咽頭部を拡張させる。そして、鼻腔挿入デバイス２００の基端部（鼻孔側）には、固定具３００が設けられる。
【００４８】
＜固定具＞
図２、３に示されるように、固定具３００は、第１移動防止部３１０と、第２移動防止部３２０と、本体部３３０と、抜き取り部３４０とを有する。鼻腔挿入デバイス２００が鼻腔に挿入されているとき、固定具３００は内鼻孔４００に配置される。このとき、第１移動防止部３１０は内鼻孔４００より奥側に配置され、第２移動防止部３２０は内鼻孔４００より手前側に配置される。
【００４９】
第１移動防止部３１０は、本体部３３０から外方に向かって延びる４つの第１の弁３１１を有する。この第１の弁３１１は、鼻腔挿入デバイス２００の挿入方向（図２の白抜き矢印方向）に向かうに従って外方に傾斜する。この第１の弁３１１の形状は、矩形板状である。なお、第１の弁３１１の形状は、特に限定されず、例えば、円形板状、楕円板状または多角形板状などであってもよい。また、各第１の弁３１１の形状は、それぞれ同じ形状であってもよいし、それぞれ異なる形状であってもよい。
【００５０】
第１移動防止部３１０が内鼻孔４００より大きくなるように、第１の弁３１１の大きさ、個数、形状および取り付け角度などが決められている。そのため、固定具３００が内鼻孔４００に配置されているとき、第１移動防止部３１０は内鼻孔４００に引っかかる。
【００５１】
第１移動防止部３１０は弾性を有している。つまり、本実施形態においては、第１移動防止部３１０を構成する第１の弁３１１が弾性を有している。第１の弁３１１は、外力が加えられることによって変形する。
【００５２】
第１の弁３１１の材料として、弾性を有する材料、例えば、イソプレンゴムまたはシリコーンゴム等の合成ゴム、天然ゴム、熱可塑性エラストマー等が用いられる。なお、第１移動防止部３１０が内鼻孔４００に引っかからない大きさまで小さくなるのであれば、第１移動防止部３１０に代えて本体部３３０が弾性を有していてもよいし、第１移動防止部３１０および本体部３３０の両方が弾性を有していてもよい。
【００５３】
第１の弁３１１の大きさ、個数、形状および取り付け角度などが調整されることで、鼻腔挿入デバイス２００の挿入方向と反対方向に鼻腔挿入デバイス２００が移動するのを防止する力が調整される。
【００５４】
第２移動防止部３２０は、本体部３３０から外方に向かって延びる４つの第２の弁３２１を有する。この第２の弁３２１は、鼻腔挿入デバイス２００の挿入方向（図２の白抜き矢印方向）と反対方向に向かうに従って外方に傾斜する。この第２の弁３２１の形状は、矩形板状である。なお、第２の弁３２１の形状は、特に限定されず、例えば、円形板状、楕円板状または多角形板状などであってもよい。また、各第２の弁３２１の形状は、それぞれ同じ形状であってもよいし、それぞれ異なる形状であってもよい。
【００５５】
第２移動防止部３２０が内鼻孔４００より大きくなるように、第２の弁３２１の大きさ、個数、形状および取り付け角度などが決められている。そのため、固定具３００が内鼻孔４００に配置されているとき、第２移動防止部３２０は内鼻孔４００に引っかかる。第２の弁３２１の材料として、シリコーン樹脂または熱可塑性エラストマー（スチレン系、塩化ビニル系、オレフィン系、ウレタン系、ポリエステル系など）等が用いられる。
【００５６】
第２の弁３２１の大きさ、個数、形状および取り付け角度などが調整されることで、鼻腔挿入デバイス２００の挿入方向に鼻腔挿入デバイス２００が移動するのを防止する力が調整される。なお、第２の弁３２１の大きさ、個数、形状および取り付け角度などは、第１の弁３１１の大きさ、個数、形状および取り付け角度などと同じであってもよいし、異なっていてもよい。
【００５７】
本体部３３０は、円管形状であり、シリコーン樹脂または熱可塑性エラストマー（スチレン系、塩化ビニル系、オレフィン系、ウレタン系、ポリエステル系など）等から成る。この本体部３３０には、第１移動防止部３１０、第２移動防止部３２０および抜き取り部３４０が設置されている。なお、本体部３３０は、鼻腔挿入デバイス２００のチューブ本体部２１０と一体でもよいし、別体でもよい。また、本体部３３０は、可撓性を有する金属から成るワイヤ、または合成樹脂繊維もしくは天然繊維から成る糸などであってもよい。
【００５８】
抜き取り部３４０は、内鼻孔４００に配置されている固定具３００を、内鼻孔４００から抜き取るためのものである。抜き取り部３４０として、例えば、可撓性を有する金属から成るワイヤ、または合成樹脂繊維もしくは天然繊維から成る糸などが用いられる。
【００５９】
この抜き取り部３４０は、鼻腔挿入デバイス２００が設置されている側とは反対側の本体部３３０の端部に設置される（図２参照）。この抜き取り部３４０は、鼻から出ない長さで調整されており、固定具３００が内鼻孔４００に配置されているとき、鼻孔内に収納される。なお、抜き取り部３４０は、ワイヤまたは糸などに代えて、本体部３３０の端部を延伸して形成されたものであってもよい。
【００６０】
＜鼻腔挿入デバイスセットの使用方法＞
鼻腔挿入デバイスセット１００を装着するとき、ユーザは、鼻腔挿入デバイス２００の拡張部２２０を咽頭部まで挿入していく。そして、ユーザは、固定具３００を内鼻孔４００に挿入する。固定具３００が内鼻孔４００に挿入されている途中では、弾性を有する第１の弁３１１は、内鼻孔４００から加えられる外力によって一時的に変形する。第１移動防止部３１０は、第１の弁３１１の変形により、内鼻孔４００に引っかからない大きさまで小さくなり、内鼻孔４００を容易に通過できる。
【００６１】
第１移動防止部３１０が内鼻孔４００を通過すると、内鼻孔４００から加えられていた外力がなくなる。そのため、第１移動防止部３１０は、内鼻孔４００より大きい元の形状に戻る。このようにして、固定具３００は内鼻孔４００に容易に配置される。よって、ユーザは鼻腔挿入デバイスセット１００を容易に装着することができる。
【００６２】
内鼻孔４００に配置された固定具３００は、内鼻孔４００より奥側に配置された第１移動防止部３１０と、内鼻孔４００より手前側に配置された第２移動防止部３２０とによって、鼻腔挿入デバイス２００が鼻から抜けて体外に出るのを防止し、かつ、鼻腔挿入デバイス２００が飲み込まれるのを防止する。（図２参照）。具体的に、第１移動防止部３１０は、鼻腔挿入デバイス２００の挿入方向（図１、２の白抜き矢印方向）と反対方向に鼻腔挿入デバイス２００が移動するのを防止する。そのため、固定具３００は、鼻腔挿入デバイス２００が鼻から抜けて体外に出るのを防止する。また、第２移動防止部３２０は、鼻腔挿入デバイス２００の挿入方向（図１、２の白抜き矢印方向）に鼻腔挿入デバイス２００が移動するのを防止する。そのため、固定具３００は、鼻腔挿入デバイス２００が飲み込まれるのを防止する。
【００６３】
鼻腔挿入デバイスセット１００の取り外しは、鼻孔内の抜き取り部３４０を指で掴んで引っ張り、固定具３００および鼻腔挿入デバイス２００を体外に抜き取ることで行う。
【００６４】
＜本実施形態における効果＞
固定具３００は内鼻孔４００に配置される。そのため、鼻腔挿入デバイス２００が鼻腔に挿入されているとき、固定具３００は目立ちにくい。
【００６５】
内鼻孔４００より大きい第１移動防止部３１０は、内鼻孔４００に引っかかる。そのため、第１移動防止部３１０は、鼻腔挿入デバイス２００の挿入方向と反対方向に鼻腔挿入デバイス２００が移動するのを防止する。よって、固定具３００は、鼻腔挿入デバイス２００が鼻から抜けて体外に出るのを防止する。
【００６６】
弾性を有する第１移動防止部３１０および本体部３３０の少なくとも一方は、外力が加えられることによって変形する。第１移動防止部３１０および本体部３３０の少なくとも一方が変形させられることで、第１移動防止部３１０は、内鼻孔４００に引っかからない大きさまで小さくなり、内鼻孔４００を容易に通過することができる。
【００６７】
第１移動防止部３１０が内鼻孔４００を通過すると、第１移動防止部３１０および本体部３３０に加えられていた外力がなくなる。そのため、第１移動防止部３１０は、内鼻孔４００より大きい元の形状に戻る。よって、固定具３００は、内鼻孔４００に容易に配置される。
【００６８】
この固定具３００では、第１の弁３１１の大きさ、個数、形状および取り付け角度などが調整されることで、鼻腔挿入デバイス２００の挿入方向と反対方向に鼻腔挿入デバイス２００が移動するのを防止する力が調整される。
【００６９】
第１の弁３１１が、鼻腔挿入デバイス２００の挿入方向（図２の白抜き矢印方向）に向かうに従って外方に傾斜するため、固定具３００は、鼻の内部の粘膜を傷つけにくい。
【００７０】
内鼻孔４００より大きい第２移動防止部３２０は、内鼻孔４００に引っかかる。そのため、第２移動防止部３２０は、鼻腔挿入デバイス２００の挿入方向に鼻腔挿入デバイス２００が移動するのを防止する。そのため、固定具３００は、鼻腔挿入デバイス２００が飲み込まれるのを防止する。
【００７１】
この固定具３００は、第２の弁３２１の大きさ、個数、形状および取り付け角度などが調整されることで、鼻腔挿入デバイス２００の挿入方向に鼻腔挿入デバイス２００が移動するのを防止する力が調整される。
【００７２】
第２の弁３２１が、鼻腔挿入デバイス２００の挿入方向（図２の白抜き矢印方向）と反対方向に向かうに従って外方に傾斜するため、固定具３００は、鼻の内部の粘膜を傷つけにくい。
【００７３】
鼻腔挿入デバイス２００が鼻腔に挿入されているとき、第１の弁３１１が内鼻孔４００より奥側に配置され、第２の弁３２１が内鼻孔４００より手前側に配置される。第１の弁３１１は、鼻腔挿入デバイス２００の挿入方向と反対方向に鼻腔挿入デバイス２００が移動するのを防止する。そのため、固定具３００は、鼻腔挿入デバイス２００が鼻から抜けて体外に出るのを防止する。また、第２の弁３２１は、鼻腔挿入デバイス２００の挿入方向に鼻腔挿入デバイス２００が移動するのを防止する。そのため、固定具３００は、鼻腔挿入デバイス２００が飲み込まれるのを防止する。
【００７４】
鼻腔挿入デバイスセット１００では、固定具３００は内鼻孔４００に配置される。そのため、鼻腔挿入デバイス２００が鼻腔に挿入されているとき、鼻腔挿入デバイスセット１００は目立ちにくい。
【００７５】
＜変形例＞
（Ａ）
図４に示されるように、固定具３００ａの第１移動防止部３１０ａは、３つの第１の弁３１１を有していてもよい。なお、固定具３００ａの第１移動防止部３１０ａは、２つ、または５つ以上の第１の弁３１１を有していてもよい。
【００７６】
（Ｂ）
図５、６に示されるように、固定具３００ｂの第１移動防止部３１０ｂは、１つの第１の弁３１１ｂを有していてもよい。この第１の弁３１１ｂは、円錐筒状に形成される。
【００７７】
（Ｃ）
図７に示されるように、固定具３００ｃに係る第１移動防止部３１０ｃの第１の弁３１１ｃは、鼻腔挿入デバイス２００の挿入方向（図７の白抜き矢印方向）に向かうに従って外方に傾斜し、かつ、側面視において、鼻腔挿入デバイス２００の挿入方向に向かって接線勾配が大きくなる形状に形成されてもよい。同様に、第２移動防止部３２０ｃの第２の弁３２１ｃは、本体部３３０から外方に向かって延び、鼻腔挿入デバイス２００の挿入方向（図７の白抜き矢印方向）と反対方向に向かうに従って外方に傾斜し、かつ、側面視において、鼻腔挿入デバイス２００の挿入方向と反対方向に向かって接線勾配が大きくなる形状に形成されてもよい。この固定具３００ｃは、内鼻孔４００に挿入されているとき、内鼻孔４００の形状に沿って湾曲しているので、鼻の内部の粘膜をより傷つけにくい。
【００７８】
（Ｄ）
図８に示されるように、固定具３００ｄに係る第１移動防止部３１０ｄの第１の弁３１１ｄ、および第２移動防止部３２０ｄの第２の弁３２１ｄは、本体部３３０から半径方向に対して垂直に外方に向かって延びるようにして、本体部３３０に設置されてもよい。
【００７９】
（Ｅ）
図９に示されるように、固定具３００ｅの第１移動防止部３１０ｅおよび第２移動防止部３２０ｅは、弾性を有し、変形した状態を一時的に維持する材料、例えば、低反発ウレタン、ゴムフォーム等から成るものであってもよい。第１移動防止部３１０ｅおよび第２移動防止部３２０ｅは、内鼻孔４００より大きい。そのため、第１移動防止部３１０ｅおよび第２移動防止部３２０ｅは、固定具３００ｅが内鼻孔４００に配置されているとき、内鼻孔４００に引っかかる。なお、第１移動防止部３１０ｅは、第２移動防止部３２０ｅと一体でもよいし、別体でもよい。
【００８０】
図１０に示されるように、第１移動防止部３１０ｅを変形させてから、固定具３００ｅは内鼻孔４００に挿入される。変形させられた第１移動防止部３１０ｅは、内鼻孔４００に引っかからない大きさまで小さくなり、内鼻孔４００を容易に通過できる。
【００８１】
第１移動防止部３１０ｅが内鼻孔４００を通過すると、内鼻孔４００から加えられていた外力がなくなる。そのため、第１移動防止部３１０ｅは、内鼻孔４００より大きい元の形状に戻る（図９参照）。このようにして、固定具３００ｅは内鼻孔４００に容易に配置される。
【００８２】
−第２実施形態−
図１１に示されるように、本発明の第２実施形態に係る固定具３００ｆは、上記の第１実施形態に係る固定具３００と異なり、閉じ部３５０をさらに備える。なお、第２実施形態に係る固定具３００ｆと、上記の第１実施形態に係る固定具３００とで共通する構成については、適宜その説明を省略する。
【００８３】
閉じ部３５０は、内鼻孔４００に引っかからない大きさの円環形状であり、第１の弁３１１上に取り付けられる。第１の弁３１１に取り付けられた閉じ部３５０は、第１の弁３１１を閉じた状態で維持する。閉じ部３５０の材料として、主に公知の水溶性高分子、例えば、デンプン、ゼラチン等の天然由来のもの、カルボキシメチルセルロース、メチルセルロース、ヒドロキシプロピルセルロース等の半合成のセルロース誘導体、またはポリビニルアルコール、ポリアクリル酸系ポリマー、ポリアクリルアミド、ポリエチレングリコール等の合成系のもの等が用いられる。
【００８４】
＜鼻腔挿入デバイスセットの使用方法＞
ユーザは、鼻腔挿入デバイスセット１００を装着する前に、閉じ部３５０を第１の弁３１１上に取り付け、第１の弁３１１を閉じた状態にしておく。第１移動防止部３１０は、第１の弁３１１が閉じられたことで、内鼻孔４００に引っかからない大きさまで小さくなる。さらに、ユーザは、固定具３００ｆが内鼻孔４００を通過しやすいように、第１の弁３１１に取り付けられた閉じ部３５０に潤滑剤を塗っておく。
【００８５】
鼻腔挿入デバイスセット１００を装着するとき、ユーザは、鼻腔挿入デバイス２００の拡張部２２０を咽頭部まで挿入していく。そして、ユーザは、固定具３００ｆを内鼻孔４００に挿入する。第１の弁３１１が閉じられた状態のとき、閉じ部３５０、および第１移動防止部３１０は、内鼻孔４００に引っかからない大きさなので、内鼻孔４００を容易に通過できる。
【００８６】
第１移動防止部３１０が内鼻孔４００を通過後、閉じ部３５０は、潤滑剤および体液によって溶ける。閉じ部３５０が溶けて第１の弁３１１が開いた状態となり、第１移動防止部３１０は、内鼻孔４００より大きい元の形状に戻る。このようにして、固定具３００ｆは、内鼻孔４００に容易に配置される。よって、ユーザは鼻腔挿入デバイスセット１００を容易に装着することができる。
【００８７】
＜本実施形態における効果＞
閉じ部３５０で第１の弁３１１が閉じられた状態のとき、閉じ部３５０および第１移動防止部３１０は、内鼻孔４００に引っかからない大きさとなる。そのため、固定具３００ｆは、内鼻孔４００を容易に通過することができる。
【００８８】
第１移動防止部３１０が内鼻孔４００を通過した後、主に水溶性高分子から成る閉じ部３５０は、事前に塗布された潤滑剤および体液によって溶ける。閉じ部３５０が溶けることで、第１移動防止部３１０は、内鼻孔４００より大きい元の形状に戻る。そのため、固定具３００ｆは、内鼻孔４００により容易に配置される。
【００８９】
＜変形例＞
（Ａ）
図１２に示されるように、固定具３００ｇの閉じ部３５１は、第１の弁３１１上に取り付けられるのではなく、各第１の弁３１１と本体部３３０との間に設けられるものであってもよい。この閉じ部３５１は、各第１の弁３１１と本体部３３０とを接着することで、第１の弁３１１を閉じた状態にする。
【００９０】
この閉じ部３５１は、上記の閉じ部３５０と比べて、必要となる水溶性高分子の量を少なくすることができる。そのため、固定具３００ｇの製造コストが低減される。
【００９１】
（Ｂ）
図１３、１４に示されるように、固定具３００ｈの閉じ部３５２として、可撓性を有する金属から成るワイヤ、または合成樹脂繊維もしくは天然繊維から成る糸などが用いられてもよい。この閉じ部３５２は、本体部３３０の管内を通るようにして配置されている。閉じ部３５２の一方の端部は、枝分かれして各第１の弁３１１にそれぞれ繋がれる。また、閉じ部３５２の他方の端部は、固定具３００ｈが内鼻孔４００に配置されているとき、鼻孔内の指で摘める位置に配置される。
【００９２】
閉じ部３５２が引っ張られた状態のとき、第１の弁３１１が閉じた状態となる（図１３参照）。第１移動防止部３１０は、第１の弁３１１が閉じられたことで、内鼻孔４００に引っかからない大きさまで小さくなる。そのため、第１移動防止部３１０は、内鼻孔４００を容易に通過できる。
【００９３】
第１移動防止部３１０が内鼻孔４００を通過後、ユーザにより閉じ部３５２が引っ張られた状態が解除されたとき、第１の弁３１１が開いた状態となる（図１４参照）。そのため、第１移動防止部３１０は、内鼻孔４００より大きい元の形状に戻る。このようにして、固定具３００ｆは、内鼻孔４００に容易に配置される。
【００９４】
（Ｃ）
図１５、１６に示されるように、固定具３００ｉの閉じ部３５３は、チューブ部３５４と、チューブ部３５４と繋がった引っ張り部３５５とを有するものであってもよい。チューブ部３５４は、内鼻孔４００に引っかからない大きさの円管形状であり、第１の弁３１１上に取り付けられる。第１の弁３１１に取り付けられたチューブ部３５４は、第１の弁３１１を閉じた状態で維持する。チューブ部３５４の材料として、シリコーン樹脂または熱可塑性エラストマー（スチレン系、塩化ビニル系、オレフィン系、ウレタン系、ポリエステル系など）等が用いられる。
【００９５】
引っ張り部３５５は、固定具３００ｉが内鼻孔４００に配置されたとき、本体部３３０の外側を通って、鼻孔内の指で摘める位置に配置される。引っ張り部３５５として、例えば、可撓性を有する金属から成るワイヤ、または合成樹脂繊維もしくは天然繊維から成る糸などが用いられる。
【００９６】
固定具３００ｉを内鼻孔４００に挿入するとき、閉じ部３５３で第１移動防止部３１０を閉じておく（図１５参照）。チューブ部３５４および第１移動防止部３１０は、第１の弁３１１が閉じられた状態のとき、内鼻孔４００に引っかからない大きさなので、内鼻孔４００を容易に通過できる。
【００９７】
第１移動防止部３１０が内鼻孔４００を通過後、引っ張り部３５５を引っ張って、ユーザは、チューブ部３５４を第１の弁３１１から外す（図１６参照）。閉じ部３５３が外れて第１の弁３１１が開いた状態となり、第１移動防止部３１０は、内鼻孔４００より大きい元の形状に戻る。このようにして、固定具３００ｉは、内鼻孔４００に容易に配置される。
【００９８】
（Ｄ）
図１７、１８に示されるように、固定具３００ｊの閉じ部３５６は、リング部３５７と、リング部３５７と繋がった引っ張り部３５８とを有するものであってもよい。リング部３５７は、内鼻孔４００に引っかからない大きさのリング状であり、第１の弁３１１上に取り付けられる。第１の弁３１１に取り付けられたリング部３５７は、第１の弁３１１を閉じた状態で維持する。引っ張り部３５８は、固定具３００ｊが内鼻孔４００に配置されたとき、本体部３３０の外側を通って、鼻孔内の指で摘める位置に配置される。リング部３５７および引っ張り部３５８の材料として、可撓性を有する金属から成るワイヤ、または合成樹脂繊維もしくは天然繊維から成る糸などが用いられる。なお、リング部３５７は、引っ張り部３５５と同じ材料であってもよいし、異なる材料であってもよい。
【００９９】
固定具３００ｊを内鼻孔４００に挿入するとき、リング部３５７で第１移動防止部３１０を閉じておく（図１７参照）。リング部３５７および第１移動防止部３１０は、第１の弁３１１が閉じられた状態のとき、内鼻孔４００に引っかからない大きさなので、内鼻孔４００を容易に通過できる。
【０１００】
第１移動防止部３１０が内鼻孔４００を通過後、引っ張り部３５８を引っ張って、リング部３５７を第１の弁３１１から外す（図１８参照）。リング部３５７が外れて第１の弁３１１が開いた状態となり、第１移動防止部３１０は、内鼻孔４００より大きい元の形状に戻る。このようにして、固定具３００ｊは、内鼻孔４００に容易に配置される。
【０１０１】
−第３実施形態−
図１９、２０に示されるように、本発明の第３実施形態に係る固定具３００ｋは、上記の第１実施形態に係る固定具３００と異なり、第２移動防止部３２０が省略され、閉じ部３６０および位置決め部３７０をさらに備える。なお、第３実施形態に係る固定具３００ｋと、上記の第１実施形態に係る固定具３００とで共通する構成については、適宜その説明を省略する。
【０１０２】
閉じ部３６０は、内鼻孔４００より大きい円板状であり、公知の樹脂または金属などから成る。この閉じ部３６０は、中心に貫通孔３６１が形成されており、本体部３３０をスライドすることで、第１の弁３１１と位置決め部３７０との間を移動自在である。また、貫通孔３６１には、第１の弁３１１が挿入される。閉じ部３６０が第１の弁３１１上に取り付けられたとき、第１の弁３１１は閉じた状態となる。また、閉じ部３６０が位置決め部３７０で位置が決められたとき、第１の弁３１１は開いた状態となる。
【０１０３】
位置決め部３７０は、鼻腔挿入デバイス２００が設置されている側とは反対側の本体部３３０の端部にフランジ状に形成される。この位置決め部３７０は、貫通孔３６１より大きく、閉じ部３６０に対してストッパーの役目を果たす。
【０１０４】
＜鼻腔挿入デバイスセットの使用方法＞
ユーザは、鼻腔挿入デバイスセット１００を装着する前に、閉じ部３５０を第１の弁３１１上に取り付け、第１の弁３１１を閉じた状態にしておく。第１移動防止部３１０は、第１の弁３１１が閉じられた状態のとき、内鼻孔４００に引っかからない大きさまで小さくなる。
【０１０５】
鼻腔挿入デバイスセット１００を装着するとき、ユーザは、鼻腔挿入デバイス２００の拡張部２２０を咽頭部まで挿入していく。そして、ユーザは、固定具３００ｋを内鼻孔４００に挿入する。その際、第１の弁３１１は、内鼻孔４００への挿入直前まで閉じ部３６０で閉じられている。そのため、第１移動防止部３１０は、内鼻孔４００を容易に通過できる。
【０１０６】
第１移動防止部３１０が内鼻孔４００を通過する際に、閉じ部３６０は、内鼻孔４００に押されて位置決め部３７０まで移動し、位置決め部３７０によって内鼻孔４００より手前側に配置される。また、第１移動防止部３１０が内鼻孔４００を通過後、第１移動防止部３１０は、何もしなくても内鼻孔４００より大きい元の形状に戻る。このようにして、固定具３００ｋは、内鼻孔４００に容易に配置される。よって、ユーザは鼻腔挿入デバイスセット１００を容易に装着することができる。
【０１０７】
内鼻孔４００に配置された固定具３００ｋは、第１移動防止部３１０および閉じ部３６０によって、内鼻孔４００から抜けにくい。具体的に、第１移動防止部３１０は、鼻腔挿入デバイス２００の挿入方向と反対方向に鼻腔挿入デバイス２００が移動するのを防止する。そのため、固定具３００ｋは、鼻腔挿入デバイス２００が鼻から抜けて体外に出るのを防止する。また、閉じ部３６０は、鼻腔挿入デバイス２００の挿入方向に鼻腔挿入デバイス２００が移動するのを防止する。そのため、固定具３００ｋは、鼻腔挿入デバイス２００が飲み込まれるのを防止する。
【０１０８】
＜本実施形態における効果＞
閉じ部３６０は、内鼻孔４００に引っかかる大きさである。閉じ部３６０で第１の弁３１１を閉じた状態にしてから、内鼻孔４００への第１の弁３１１の挿入を開始する。第１の弁３１１は、内鼻孔４００への挿入直前まで閉じ部３６０で閉じられているので、内鼻孔４００を通過しやすい。
【０１０９】
第１の弁３１１が内鼻孔４００を通過した後、閉じ部３６０は、位置決め部３７０によって内鼻孔４００より手前側に配置される。そして、閉じ部３６０は、鼻腔挿入デバイス２００の挿入方向に鼻腔挿入デバイス２００が移動するのを防止する。そのため、固定具３００ｋは、鼻腔挿入デバイス２００が飲み込まれるのを防止する。
【０１１０】
第１の弁３１１および閉じ部３６０は、内鼻孔４００に引っかかる大きさである。閉じ部３６０で第１の弁３１１を閉じた状態にしてから、内鼻孔４００への第１の弁３１１の挿入を開始する。第１の弁３１１は、内鼻孔４００への挿入直前まで閉じ部３６０で閉じられているので、内鼻孔４００を通過しやすい。
【０１１１】
第１の弁３１１が内鼻孔４００を通過した後、閉じ部３６０は、位置決め部３７０によって内鼻孔４００より手前側に配置される。そして、第１の弁３１１は、鼻腔挿入デバイス２００の挿入方向と反対方向に鼻腔挿入デバイス２００が移動するのを防止する。そのため、固定具３００ｋは、鼻腔挿入デバイス２００が鼻から抜けて体外に出るのを防止する。また、閉じ部３６０は、鼻腔挿入デバイス２００の挿入方向に鼻腔挿入デバイス２００が移動するのを防止する。そのため、固定具３００ｋは、鼻腔挿入デバイス２００が飲み込まれるのを防止する。
【符号の説明】
【０１１２】
１００      鼻腔挿入デバイスセット
２００      鼻腔挿入デバイス
３００，３００ａ，３００ｂ，３００ｃ，３００ｄ，３００ｅ，３００ｆ，３００ｇ，３００ｈ，３００ｉ，３００ｊ，３００ｋ      固定具（鼻腔挿入デバイス抜け防止具）
３１０，３１０ａ，３１０ｂ，３１０ｃ，３１０ｄ，３１０ｅ      第１移動防止部
３１１，３１１ｂ，３１１１ｃ，３１１ｄ      第１の弁
３２０，３２０ｃ，３２０ｄ，３２０ｅ      第２移動防止部
３２１，３２１ｃ，３２１ｄ      第２の弁
３３０      本体部
３５０，３５１，３５２，３５３，３５６，３６０      閉じ部
３７０      位置決め部
４００      内鼻孔
【図１】
2012239479.tif 000003
【図２】
2012239479.tif 000004
【図３】
2012239479.tif 000005
【図４】
2012239479.tif 000006
【図５】
2012239479.tif 000007
【図６】
2012239479.tif 000008
【図７】
2012239479.tif 000009
【図８】
2012239479.tif 000010
【図９】
2012239479.tif 000011
【図１０】
2012239479.tif 000012
【図１１】
2012239479.tif 000013
【図１２】
2012239479.tif 000014
【図１３】
2012239479.tif 000015
【図１４】
2012239479.tif 000016
【図１５】
2012239479.tif 000017
【図１６】
2012239479.tif 000018
【図１７】
2012239479.tif 000019
【図１８】
2012239479.tif 000020
【図１９】
2012239479.tif 000021
【図２０】
2012239479.tif 000022